(57)【要約】【課題】被圧水の漏出を防止して施工性を向上させることができる鋼管杭基礎の止水構造および鋼管杭基礎の施工方法を提供すること。【解決手段】被圧水Ｗを蓄えた地層に杭先端が到達して杭体内部を被圧水Ｗが上昇すると、被圧水Ｗの浮力によってフロート１５が浮き上がってゴム球１３によって通気孔１１を自動的に閉鎖することができる。従って、被圧水Ｗの上昇を阻止して止水することができ、地表への水の漏出を防止して施工性を向上させることができる。さらに、フロート１５に接続された金属籠１８を引っ掛けて手動で引き上げることで、ゴム球１３の閉鎖状態を強固にでき、止水性を高めることができる。【選択図】図３
2011084923.tif 000002
【特許請求の範囲】
【請求項１】
先端が開口した鋼管本体を地盤に貫入して構築される鋼管杭基礎の止水構造であって、
前記鋼管本体内部の上端部近傍に固定されるとともに通気孔を有した止水板と、
前記通気孔を閉鎖する閉鎖状態と開放する開放状態とを切り替え可能な閉鎖手段と、
前記鋼管本体を地盤の所定深さまでに貫入した際に前記閉鎖手段を作動させて閉鎖状態とする閉鎖作動手段とを備えることを特徴とする鋼管杭基礎の止水構造。
【請求項２】
請求項１に記載の鋼管杭基礎の止水構造において、
前記閉鎖作動手段は、前記閉鎖手段に接続されるとともに水の浮力で浮上可能な浮上部材を有して構成されていることを特徴とする鋼管杭基礎の止水構造。
【請求項３】
請求項１または請求項２に記載の鋼管杭基礎の止水構造において、
前記閉鎖作動手段は、前記閉鎖手段に接続されるとともに手動で引き上げ操作可能な引上部材を有して構成されていることを特徴とする鋼管杭基礎の止水構造。
【請求項４】
請求項１から請求項３のいずれかに記載の鋼管杭基礎の止水構造において、
前記止水板には、上方に向かって内寸が小さくなる案内部が設けられ、
前記閉鎖手段は、前記案内部下端の内寸よりも小さくかつ前記通気孔よりも大きな径寸法を有した球状部材を有して構成されていることを特徴とする鋼管杭基礎の止水構造。
【請求項５】
請求項１から請求項４のいずれかに記載の鋼管杭基礎の止水構造において、
前記鋼管本体の外周面に沿った周辺地盤に硬化材を吐出して当該周辺地盤を硬化させる硬化手段を備えることを特徴とする鋼管杭基礎の止水構造。
【請求項６】
先端が開口した鋼管本体を地盤に貫入して杭基礎を構築する鋼管杭基礎の施工方法であって、
前記鋼管本体内部の上端部近傍に通気孔を有した止水板を固定するとともに、前記通気孔を閉鎖可能な閉鎖部材を設けておき、
前記鋼管本体を地盤の所定深さまで貫入してから、前記閉鎖部材によって前記通気孔を閉鎖し、当該鋼管本体内部を上昇する水を止水することを特徴とする鋼管杭基礎の施工方法。
【請求項７】
請求項６に記載の鋼管杭基礎の施工方法において、
前記鋼管本体内部を上昇した水の浮力で浮上する浮上部材を前記閉鎖部材に接続しておき、
前記浮上部材の浮力によって前記閉鎖部材で前記通気孔を閉鎖してから、当該浮上部材または閉鎖部材を手動で引き上げることを特徴とする鋼管杭基礎の施工方法。
【発明の詳細な説明】
【技術分野】
【０００１】
本発明は、鋼管杭基礎の止水構造および鋼管杭基礎の施工方法に関する。
【背景技術】
【０００２】
従来、杭基礎として利用される鋼管杭として、鋼管本体の先端に羽根（翼）を有して地盤に回転貫入される回転貫入杭が提案されている（例えば、特許文献１参照）。
このような鋼管杭は、円筒状の鋼管本体の杭頭部や杭中間部を杭打ち機の把持装置で把持して回転させることで、杭先端の羽根が地盤に食い込んで貫入されるようになっている。このような鋼管本体の先端は開口されている場合と、鋼板などで塞がれている場合の両方があるが、どちらの場合も杭先端が支持層に達して、支持層への所定の根入れを行うことで、先端支持力および周面摩擦力が得られるようになっている。
【先行技術文献】
【特許文献】
【０００３】
【特許文献１】特開２００５−３１４９３０号公報
【発明の概要】
【発明が解決しようとする課題】
【０００４】
回転貫入杭や打撃杭のような鋼管杭において、砂層や砂礫層などに被圧水が存在する場合には、鋼管本体の外周面に沿って地下水が杭頭に向かって上昇し、地表に溢れ出してしまう可能性がある。特に、杭基礎として利用される鋼管杭では、基礎梁やフーチングの深さがあるために、ヤットコ等を用いて杭頭を地面よりも低い位置まで貫入するので、鋼管杭施工後に根切り工事により杭頭部を露出させた際に、杭周辺の上載荷重が低下することから、被圧水が漏出しやすくなる。また、先端が開口されている杭の場合には、杭の施工中に先端の土砂の一部を杭体内部に取込みながら貫入していくため、通常であれば杭体内部の土砂が栓となって地下水の上昇を防止する。しかし、被圧水の圧力が大きく、杭体内部の土砂が緩くて栓の効果が小さい場合には、杭体内面から地下水が上昇してくる可能性がある。
杭体外周面に沿って漏出した被圧水を地上において堰き止めようとすると、被圧水の水位上面の高さまで盛り土をしたり止水堰を設置したりする必要があり、施工コストが増大するとともに、堰き止めた水の中で基礎の配筋工事やコンクリート工事を実施しなければならず、施工性が著しく低下してしまうという問題がある。また、杭体内面から上昇した地下水の対策としては、被圧水の水位上面高さ以上の高さまで杭体鋼管を延長して水位を安定させた後で、杭体内にコンクリートを打設して地下水を堰き止めるなどの手段が必要となり、施工コストや施工期間が増大してしまうという問題がある。
【０００５】
本発明の目的は、被圧水の漏出を防止して施工性を向上させることができる鋼管杭基礎の止水構造および鋼管杭基礎の施工方法を提供することにある。
【課題を解決するための手段】
【０００６】
本発明の鋼管杭基礎の止水構造は、先端が開口した鋼管本体を地盤に貫入して構築される鋼管杭基礎の止水構造であって、前記鋼管本体内部の上端部近傍に固定されるとともに通気孔を有した止水板と、前記通気孔を閉鎖する閉鎖状態と開放する開放状態とを切り替え可能な閉鎖手段と、前記鋼管本体を地盤の所定深さまでに貫入した際に前記閉鎖手段を作動させて閉鎖状態とする閉鎖作動手段とを備えることを特徴とする。
【０００７】
以上の本発明によれば、鋼管本体を地盤の所定深さまでに貫入した際に閉鎖作動手段によって閉鎖手段を作動させ、止水板の通気孔を閉鎖することで、鋼管本体内部を上昇する被圧水を止水することができ、地表への水の漏出を防止して施工性を向上させることができる。また、鋼管本体の貫入途中においては、通気孔を開放状態にしておくことで、先端から鋼管本体に土が入り込んだ時に内部の空気を杭上端から逃がすことができ、貫入時の施工性を阻害することがない。
なお、閉鎖作動手段としては、地上から作業者が直接または間接に操作可能な機械的なものでもよいし、所定の条件によって自動的に動作するものであってもよい。
また、鋼管本体としては、単一の鋼管で構成されるものでもよいし、二段以上の複数の鋼管を上下に連結して構成されるものでもよい。
【０００８】
この際、本発明の鋼管杭基礎の止水構造では、前記閉鎖作動手段は、前記閉鎖手段に接続されるとともに水の浮力で浮上可能な浮上部材を有して構成されていることが好ましい。
このような構成によれば、被圧水が鋼管本体内部を上昇した際に、この水の浮力によって浮上部材を浮上させて閉鎖手段を閉鎖状態とすることで、作業者が操作しなくても自動的に止水することができ、作業手間を軽減して施工性をさらに向上させることができる。
【０００９】
また、本発明の鋼管杭基礎の止水構造では、前記閉鎖作動手段は、前記閉鎖手段に接続されるとともに手動で引き上げ操作可能な引上部材を有して構成されていてもよい。
このような構成によれば、閉鎖手段に接続された引上部材を手動で引き上げることで、閉鎖手段の閉鎖状態を強固にでき、止水性を高めることができる。
【００１０】
さらに、本発明の鋼管杭基礎の止水構造では、前記止水板には、上方に向かって内寸が小さくなる案内部が設けられ、前記閉鎖手段は、前記案内部下端の内寸よりも小さくかつ前記通気孔よりも大きな径寸法を有した球状部材を有して構成されていることが好ましい。
このような構成によれば、漏斗状の案内部によって球状部材を案内して通気孔を閉鎖することで、地表から離れた位置においても確実に閉鎖手段を閉鎖状態とすることができる。
【００１１】
また、本発明の鋼管杭基礎の止水構造では、前記鋼管本体の外周面に沿った周辺地盤に硬化材を吐出して当該周辺地盤を硬化させる硬化手段を備えることが好ましい。
このような構成によれば、硬化手段によって周辺地盤を硬化させることで、周辺地盤と鋼管本体の外周面との密着性を高めることができ、鋼管本体の外周面に沿って被圧水が上昇することを阻止して、止水性をより一層高めることができる。ここで、硬化させる周辺地盤としては、被圧水が存在する砂層や砂礫層などの直上に位置する粘性土層であることが好ましく、このような粘性土層と鋼管本体の外周面とを止水することで、地盤中における被圧水の流れが変化しないようにでき、敷地周辺の地下水環境に影響を及ぼさないようにできる。
【００１２】
一方、本発明の鋼管杭基礎の施工方法は、先端が開口した鋼管本体を地盤に貫入して杭基礎を構築する鋼管杭基礎の施工方法であって、前記鋼管本体内部の上端部近傍に通気孔を有した止水板を固定するとともに、前記通気孔を閉鎖可能な閉鎖部材を設けておき、前記鋼管本体を地盤の所定深さまで貫入してから、前記閉鎖部材によって前記通気孔を閉鎖し、当該鋼管本体内部を上昇する水を止水することを特徴とする。
この際、本発明の鋼管杭基礎の施工方法では、前記鋼管本体内部を上昇した水の浮力で浮上する浮上部材を前記閉鎖部材に接続しておき、前記浮上部材の浮力によって前記閉鎖部材で前記通気孔を閉鎖してから、当該浮上部材または閉鎖部材を手動で引き上げることが好ましい。
【００１３】
このような本発明によれば、前述した止水構造と同様に、鋼管本体内部を上昇する被圧水を止水することができ、地表への水の漏出を防止して施工性を向上させることができる。さらに、浮上部材を浮上させて自動的に止水するとともに、その後、閉鎖部材を手動で引き上げることで、止水をより確実にして漏出を防止することができる。
【発明の効果】
【００１４】
以上のような本発明の鋼管杭基礎の止水構造および鋼管杭基礎の施工方法によれば、被圧水の地表への漏出を防止することができることから、地上における被圧水の水位上面レベルまでの盛り土や止水堰などが不要にでき、施工性が向上できるとともに、施工コストを低減させることができる。
【図面の簡単な説明】
【００１５】
【図１】本発明の第１実施形態に係る鋼管杭基礎の施工方法を示す断面図である。
【図２】前記鋼管杭基礎における内部止水手段を示す縦断面図である。
【図３】前記内部止水手段の動作を示す縦断面図である。
【図４】前記内部止水手段の図３に続く動作を示す縦断面図である。
【図５】前記鋼管杭基礎における硬化手段を示す側面図である。
【図６】前記硬化手段を拡大して示す側面図および断面図である。
【図７】第２実施形態に係る鋼管杭基礎における硬化手段を示す側面図である。
【図８】前記硬化手段を拡大して示す断面図である。
【発明を実施するための形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１７】
〔第１実施形態〕
図１において、鋼管杭基礎１は、それぞれ円形鋼管で形成された鋼管本体としての下杭体２および上杭体３と、下杭体２の先端部（杭先端）に固定される螺旋状の羽根４とを有し、下杭体２の上端部と上杭体３の下端部とが溶接固定されて構成されている。鋼管杭基礎１は、下杭体２と、下杭体２に連結した上杭体３とを、杭打ち機Ｍにより回転されることで、羽根４による推進力を得て地盤Ｇに貫入されるようになっている。地盤Ｇは、例えば、表層の軟弱層Ｇ１と、その下の中間層Ｇ２と、その下の支持層Ｇ３を有しており、図１(Ｃ)に示すように、中間層Ｇ２には、地表よりも上方に水位上面ＷＬが位置するような被圧水Ｗが蓄えられている。また、鋼管杭基礎１は、図１(Ｄ)に示すように、上杭体３の上端部（杭頭部）が地表よりも下方まで位置するようにヤットコＹを用いて地盤Ｇに貫入される。
【００１８】
鋼管杭基礎１における上杭体３の上端部には、図２にも示すように、内部止水手段１０が設けられている。この内部止水手段１０は、上杭体３の内部に固定されるとともに通気孔１１を有した止水板１２と、通気孔１１を閉鎖する閉鎖状態（図３、４）と開放する開放状態（図２）とを切り替え可能な閉鎖手段としてのゴム球（球状部材）１３と、ゴム球１３にチェーン１４で連結された浮上部材としてのフロート１５とを備えて構成されている。止水板１２には、下方に向かって拡がるとともに上方に向かって内寸が小さくなる漏斗状の案内部１６が設けられ、この案内部１６の上部開口によって通気孔１１が形成され、案内部１６の内面に沿ってゴム球１３が案内されるようになっている。さらに、フロート１５には、チェーン１７を介して引上部材としての金属籠１８が連結され、図４に示すように、地表から引掛け棒１９等で金属籠１８を引っ掛けて引き上げられるようになっている。
【００１９】
以上の鋼管杭基礎１では、図１(Ｃ)に示すように、中間層Ｇ２に下杭体２の先端部が到達すると、その先端部から下杭体２の内部に被圧水Ｗが入り、この被圧水Ｗが下杭体２の内部を上昇することとなる。この際、内部止水手段１０は、図３に示すように、止水板１２よりも上まで上昇した被圧水Ｗの浮力によってフロート１５が浮き上がり、このフロート１５に引き上げられたゴム球１３が案内部１６に沿って上方に移動し、このゴム球１３によって通気孔１１を閉鎖することで閉鎖状態が構成できるようになっている。さらに、図１(Ｄ)の状態からヤットコＹを取り外した後に、図４に示すように、引掛け棒１９を用いて手動により金属籠１８を引っ掛け、フロート１５およびゴム球１３を上方に引き上げることで、ゴム球１３を強く通気孔１１の押し付けて強固な閉鎖状態が構成できるようになっている。その後、図１(Ｅ)に示すように、上杭体３の上端部にコンクリートＣを打設することで、止水板１２の通気孔１１を含めて上杭体３内部が密閉され、被圧水Ｗが地表に漏出しないようになっている。
【００２０】
以上のような内部止水手段１０を備えたことで、鋼管杭基礎１では、次の効果を得ることができる。
すなわち、被圧水Ｗを蓄えた中間層Ｇ２に下杭体２の先端部が到達し、下杭体２の内部を被圧水Ｗが上昇すると、被圧水Ｗの浮力によってフロート１５が浮き上がってゴム球１３によって通気孔１１を自動的に閉鎖することができる。従って、被圧水Ｗの上昇を阻止して止水することができ、地表への水の漏出を防止して施工性を向上させることができる。さらに、フロート１５に接続された金属籠１８を引掛け棒１９で引っ掛けて手動で引き上げることで、ゴム球１３の閉鎖状態を強固にでき、止水性を高めることができる。また、ゴム球１３は、フロート１５が浮き上がるまでは通気孔１１を閉鎖せずに開放状態とすることで、貫入に伴って下杭体２や上杭体３の内部に土が入り込むことによる内部の空気を地表に逃がすことができ、貫入時の施工性を阻害することがない。
【００２１】
さらに、本実施形態に係る鋼管杭基礎１は、図５、６に示すように、前記内部止水手段１０に加えて、下杭体２や上杭体３の外周面に沿った周辺地盤に硬化材を吐出して硬化させる硬化手段２０を備えて構成されている。ここで、地盤Ｇとしては、軟弱層Ｇ１が粘性土層であって、その下の中間層Ｇ２が砂層であって被圧水Ｗが蓄えられているものとする。そして、鋼管杭基礎１では、硬化手段２０によって硬化させることで周辺地盤を地盤改良して改良地盤ＫＧとし、改良地盤ＫＧと上杭体３とを密着させ、上杭体３の外周面に沿って被圧水Ｗが上昇することが防止できるようになっている。
【００２２】
硬化手段２０は、上杭体３の外周面に沿った周辺地盤に硬化材であるセメントミルクを吐出する吐出手段２１と、この吐出手段２１にセメントミルクを送出する送出手段であるグラウトポンプ２２と、グラウトポンプ２２にセメントミルクを供給するミキサー２３とを備えて構成されている。吐出手段２１は、上杭体３の外周面に沿って上下に延びて固定されてセメントミルクを搬送する搬送管２４と、この搬送管２４に連結されてセメントミルクを吐出する複数（本実施形態では、４箇所）の吐出部２５とを有して構成されている。搬送管２４は、金属製の鋼管またはフレキシブル高圧ホースなどで構成され、上杭体３の外周面に溶接固定されている。ここで、杭打ち機Ｍの内部で下杭体２や上杭体３を把持する把持手段は、複数の把持爪を有して構成されており、これらの把持爪間に挿通されることで、搬送管２４が杭打ち機Ｍと干渉しないようになっている。
【００２３】
また、搬送管２４の下端部側は、図６にも示すように、上杭体３の外周面に螺旋状に巻き付けられて固定されており、この螺旋状の搬送管２４形状は、羽根４の螺旋形状と同一ピッチに設定されている。そして、吐出部２５は、螺旋状の部分における搬送管２４に対して所定間隔で設けられるとともに、回転貫入時の回転方向後方に向かってセメントミルクを吐出するノズル２５Ａを有して構成されている。従って、ノズル２５Ａから吐出されたセメントミルクは、羽根４が通過した部分に沿って上杭体３の外周面における軟弱層Ｇ１に浸透し、密実な改良地盤ＫＧが形成されるようになっている。また、セメントミルクの吐出は、杭の打止め前に開始され、少なくとも一回転以上の回転に伴って吐出を継続し、上杭体３の外周に改良地盤ＫＧが途切れることなく形成されるようになっている。
【００２４】
以上のような硬化手段２０を備えたことで、鋼管杭基礎１では、次の効果を得ることができる。
すなわち、軟弱層Ｇ１にセメントミルクを吐出して改良地盤ＫＧとすることで、上杭体３の外周面と密接させて密着性を高めることができ、周面摩擦力や水平抵抗力を高めることができる。また、粘性土層である軟弱層Ｇ１直下の中間層Ｇ２に被圧水Ｗが蓄えられていた場合において、軟弱層Ｇ１を上杭体３が貫通した際に、改良地盤ＫＧと上杭体３の外周面との密着性を高めることで、上杭体３の外周面に沿って被圧水Ｗが上昇することを阻止して止水することができ、地表への水の漏出を防止して施工性を向上させることができる。
【００２５】
〔第２実施形態〕
次に、本発明の第２実施形態の鋼管杭基礎１を図７、８に基づいて説明する。
第２実施形態の鋼管杭基礎１は、硬化手段２０のうちの吐出手段２１Ａの構成が前記第１実施形態の吐出手段２１と相違するものの、他の構成は第１実施形態と略同様である。以下、相違点について詳しく説明する。
【００２６】
すなわち、吐出手段２１Ａでは、搬送管２４が上杭体３の内部にて上下に延びて設けられているとともに、この搬送管２４に連結された吐出部２５が上杭体３を貫通して設けられている。さらに、吐出部２５が貫通した上杭体２の外周面には、補強板２６が溶接固定されている。複数（本実施形態では、４箇所）の吐出部２５は、上杭体３の長手方向（上下方向）に所定間隔で並んで設けられ、この吐出部２５の間隔としては、羽根４の螺旋形状の高さ方向の差と同一ピッチに設定されるか、または整数倍のピッチに設定されるか、または１／２ピッチや１／３ピッチなどに設定されている。
このような第２実施形態の鋼管杭基礎１によっても、前記第１実施形態と略同様の効果を得ることができ、上杭体３の周面摩擦力や水平抵抗力が高められるとともに、被圧水Ｗの地表への漏出を防止することができる。
【００２７】
なお、本発明は、前記実施形態に限定されるものではなく、本発明の目的を達成できる他の構成等を含み、以下に示すような変形等も本発明に含まれる。
例えば、前記実施形態の鋼管杭基礎１は、内部止水手段１０に加えて周辺地盤を硬化させる硬化手段２０を備えて構成されていたが、これに限らず、硬化手段２０を省略することができる。すなわち、地盤Ｇの構成や状況によっては、硬化手段２０を用いて周辺地盤を硬化させなくても鋼管本体の外周面に沿った被圧水の上昇が起きない場合もあり、そのような地盤においては、硬化手段２０を省略することで施工手間や施工コストを抑制することができる。
【００２８】
また、前記実施形態では、内部止水手段１０として、被圧水Ｗの浮力で浮上するフロート１５（浮上部材）と、手動によってフロート１５およびゴム球１３を引き上げるための金属籠１８（引上部材）とを備えて構成されていたが、これに限らず、浮上部材および引上部材のいずれか一方のみを有して内部止水手段１０が構成されていてもよい。
さらに、前記実施形態における鋼管杭基礎１の施工手順では、被圧水Ｗの浮力でフロート１５（浮上部材）が浮上し、これによってゴム球１３で通気孔１１を閉鎖した後に、さらに金属籠１８（引上部材）を引掛け棒１９で引っ掛けて手動で引き上げるようにしたが、これに限らず、被圧水Ｗが浮上部材の位置まで上昇するよりも以前に上杭体３を所定深さまで貫入した場合には、ヤットコＹを取り外してから引掛け棒１９で金属籠１８（引上部材）を引っ掛けて引き上げることで、ゴム球１３によって通気孔１１を閉鎖するようにしてもよい。
【００２９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３０】
１…鋼管杭基礎、２…下杭体（鋼管本体）、３…上杭体（鋼管本体）、４…羽根、１０…内部止水手段、１１…通気孔、１２…止水板、１３…ゴム球（閉鎖手段、球状部材）、１５…フロート（浮上部材）、１６…案内部、１８…金属籠（引上部材）、２０…硬化手段、Ｇ…地盤、Ｗ…被圧水。
【図１】
2011084923.tif 000003
【図２】
2011084923.tif 000004
【図３】
2011084923.tif 000005
【図４】
2011084923.tif 000006
【図５】
2011084923.tif 000007
【図６】
2011084923.tif 000008
【図７】
2011084923.tif 000009
【図８】
2011084923.tif 000010